(57)【特許請求の範囲】
【請求項１】
コイル、コイルの中心に挿入された磁性材料からなる芯部、一端が芯部の一側に結合された磁性材料からなる継鉄、及び、磁性材料から形成され継鉄の他端に揺動自在に取り付けられコイルへの通電に応じて芯部の他側に吸着される接極子を有する電磁石ブロックと、固定接点が設けられた固定接点板と、固定接点に接離自在に接触する可動接点が設けられた可撓性を有する可動接点板と、一側に開放された凹所を有し該凹所内に両接点板及び電磁石ブロックが並設されたベースと、前記凹所の開口側から可動接点板と接極子との間に挿入されて可動接点板と接極子との間に取り付けられ、接極子の動きを可動接点板に伝達する駆動部材とを備え、接極子と対向する駆動部材の部位に、接極子に設けられた被係止部と凹凸係止する係止部を設け、駆動部材と対向する可動接点板の部位に、凹所の開口側から挿入される駆動部材の両側に位置して、駆動部材の端部を間に保持する一対の保持片を可動接点板の一部を切り起こすことにより形成したことを特徴とする電磁継電器。
【請求項２】
上記一対の保持片の先端部の間隔を、付け根付近の間隔に比べて広げたことを特徴とする請求項１記載の電磁継電器。
【請求項３】
上記凹所の底面側と対向する接極子の部位を覆う覆い部を駆動部材に設けたことを特徴とする請求項１記載の電磁継電器。
【請求項４】
上記凹所の底面側及び開口側と対向する接極子の部位を夫々覆う覆い部を駆動部材に設けたことを特徴とする請求項１記載の電磁継電器。
【請求項５】
可動接点板と対向する接極子の部位を覆う絶縁壁を駆動部材に設けたことを特徴とする請求項１記載の電磁継電器。
【請求項６】
一面開口した略箱状であって、内部にベースを収納するケースを備え、ケースの内側面に形成された嵌合溝と凹凸嵌合する嵌合突起をベースに設けたことを特徴とする請求項１記載の電磁継電器。
【請求項７】
上記各接点板が圧入固定される圧入溝をベースに設けたことを特徴とする請求項１記載の電磁継電器。
【発明の詳細な説明】
【０００１】
【発明の属する技術分野】
本発明は、電磁継電器に関するものである。
【０００２】
【従来の技術】
従来の電磁継電器の断面図を図１０（ａ）に、一部省略せる分解斜視図を図１１にそれぞれ示す。電磁継電器の器体１は、上面が開口した略箱状のケース２と、ケース２の開口を塞ぐようにして、ケース２に取り付けられるベース３とで構成され、ケース２及びベース３はそれぞれ絶縁性を有する合成樹脂から形成されている。
【０００３】
ベース３は、ケース２の開口を塞ぐ略矩形状の蓋板４の３辺から背板５、側壁６，７が夫々垂下され、略箱状に形成されており、蓋板４、背板５及び側壁６，７によって囲まれ、前面及び下面に開口した凹所３ａが形成されている。ベース３の背板５からは略コ字状の絶縁壁８が前面側に向かって立設されており、ベース３の中央を上下に分割している。また、両側壁６，７における絶縁壁８と蓋板４との間の部位からは、ベース３の中程まで伸びる隔壁９，１０がそれぞれ突設されている。尚、図１０（ａ）中左側の側壁６に突設された隔壁９は、同図中右側の側壁７に突設された隔壁１０よりも同図中上側に設けられている。
【０００４】
ベース３の凹所３ａには、固定接点１１が設けられた固定側端子板１２と、固定接点１１と接離自在に接触する可動接点１３が設けられた可動側端子板１４とが夫々圧入固定されており、通電に応じて両接点１１，１３を開閉させる電磁石ブロック１６が収納されている。
【０００５】
固定側端子板１２は、略短冊状の中央片１２ａと、中央片１２ａの一端縁から中央片１２ａと略直交する方向に突出するタブ端子１２ｂと、中央片１２ａの他端縁からタブ端子１２ｂと反対方向に突出する基板用端子１２ｃとが連続一体に設けられて、略Ｚ字状に形成されており、中央片１２ａにおける基板用端子１２ｃが突出する側の面に固定接点１１が固着されている。一方、可動側端子板１４は、略短冊状の中央片１４ａと、中央片１４ａの一端縁から中央片１４ａと略直交する方向に突出するタブ端子１４ｂと、中央片１４ａの他端縁からタブ端子１４ｂと反対方向に突出する基板用端子１４ｃとが連続一体に設けられ、略Ｚ字状に形成されており、中央片１４ａには可動接点１３が固着された可撓性を有する可動ばね片１５が可動接点１３を固定接点１１と対向させてかしめ固定されている。
【０００６】
ここに、ベース３の蓋板４には前面側に開放された一対の圧入溝４ａ，４ｂが形成され、側壁６，７にはそれぞれ前面側に開放された圧入溝６ａ，７ａが形成されている。固定側端子板１２は、タブ端子１２ｂの基部を圧入溝４ａに、中央片１２ａにおける基板用端子１２ｃの連結部付近を圧入溝７ａにそれぞれ圧入して、ベース３に圧入固定される。また、可動側端子板１４は、タブ端子１４ｂの基部を圧入溝４ｂに、中央片１４ａにおける基板用端子１２ｃの連結部付近を圧入溝６ａにそれぞれ圧入して、ベース３に圧入固定される。
【０００７】
電磁石ブロック１６は、略円筒状であって両端に鍔部１７ａ，１７ａが設けられたコイルボビン１７と、コイルボビン１７における両鍔部１７ａ，１７ａの間の部位に巻回されたコイル１８と、略円柱状であって一端部に大径の磁極部１９ａが設けられコイルボビン１７の筒内に挿着された鉄心１９と、磁性材料から略Ｌ字状に形成されコイル１８の一端面及び側面を覆い、一側片２０ａが鉄心１９の他端部に固着された継鉄２０と、略Ｌ字状であって両側片２２ａ，２２ｂの折曲部の内側がヒンジばね２１により継鉄２０の他側片２０ｂの先端部を支点として回動自在に支持され、コイル１８への通電に応じて一側片２２ａが鉄心１９の磁極部１９ａに吸引又は釈放される接極子２２とで構成される。
【０００８】
上述のように接極子２２はコイル１８への通電に応じて揺動するのであるが、ベース３には接極子２２の動きを可動ばね片１５に伝達するためのカード２３が取り付けられている。カード２３は絶縁性を有する合成樹脂から形成され、略平板状であって、接極子２２の側片２２ｂと可動ばね片１５との間に側片２２ｂに対して略平行に取り付けられている。そして、カード２３における側片２２ｂと対向する面には、側片２２ｂに穿設された一対の係合孔２２ｃ，２２ｃとそれぞれ係合する係合突起２４，２４が突設され、カード２３における可動ばね片１５と対向する面には、可動ばね片１５を押圧する突台部２５が設けられ、突台部２５の先端面に可動ばね片１５に穿設された係合孔１５ｄと係合する係合突起２６が突設されている。
【０００９】
この電磁継電器を組み立てる際は、先ず固定側端子板１２及び可動側端子板１４がそれぞれ圧入固定されたベース３の前面側から、凹所３ａ内に電磁石ブロック１６を挿入して、電磁石ブロック１６をベース３に取り付ける。その後、可動ばね片１５の先端を固定接点１１側に撓ませた状態で、カード２３をベース３の前面側から接極子２２の側片２２ｂと可動ばね片１５との間に挿入し、カード２３の係合突起２４，２６をそれぞれ側片２２ｂの係合孔２２ｃ、可動ばね片１５の係合孔１５ｄに係合させて、側片２２ｂと可動ばね片１５との間にカード２３を保持させる。
【００１０】
【発明が解決しようとする課題】
上記構成の電磁継電器では、ベース３の凹所３ａ内に両端子板１２，１４及び電磁石ブロック１６を取り付けた後、接極子２２の側片２２ｂと可動ばね片１５との間にカード２３を挿入している。そのため、カード２３を挿入する際、図１０（ｂ）に示すように、カード２３が取り付けられた状態での可動ばね片１５の位置（図１０（ａ）参照）から、カード２３の両面にそれぞれ突設された突起２４，２６の高さ分だけ可動ばね片１５を蓋板４側に撓ませる必要があった。また、カード２３を挿入する際に、接極子２２の側片２２ｂ及び可動ばね片１５にそれぞれ穿設された係合孔２２ｃ，１５ｄの位置が分かりにくく、カード２３の組立作業性が悪いという問題があった。
【００１１】
本発明は上記問題点に鑑みて為されたものであり、その目的とするところは、組立作業性を向上させた電磁継電器を提供することにある。
【００１２】
【課題を解決するための手段】
上記目的を達成するために、請求項１の発明では、コイル、コイルの中心に挿入された磁性材料からなる芯部、一端が芯部の一側に結合された磁性材料からなる継鉄、及び、磁性材料から形成され継鉄の他端に揺動自在に取り付けられコイルへの通電に応じて芯部の他側に吸着される接極子を有する電磁石ブロックと、固定接点が設けられた固定接点板と、固定接点に接離自在に接触する可動接点が設けられた可撓性を有する可動接点板と、一側に開放された凹所を有し該凹所内に両接点板及び電磁石ブロックが並設されたベースと、凹所の開口側から可動接点板と接極子との間に挿入されて可動接点板と接極子との間に取り付けられ、接極子の動きを可動接点板に伝達する駆動部材とを備え、接極子と対向する駆動部材の部位に、接極子に設けられた被係止部と凹凸係止する係止部を設け、駆動部材と対向する可動接点板の部位に、凹所の開口側から挿入される駆動部材の両側に位置して、駆動部材の端部を間に保持する一対の保持片を可動接点板の一部を切り起こすことにより形成したことを特徴とし、凹所内に取り付けられた可動接点板と接極子との間に駆動部材を取り付ける際に、駆動部材に設けた係止部や接極子に設けた被係止部が接極子や駆動部材に干渉しないよう、可動接点板を固定接点板側に撓ませる必要があるが、駆動部材と対向する可動接点板の部位には一対の保持片が切り起こしにより形成されており、一対の保持片の間に駆動部材の端部が保持されているので、可動接点板に設けられた被係止部と凹凸係止する係止部を駆動部材に設けた場合に比べて、可動接点板を撓ませる量が小さくなり、組立作業を容易に行うことができる。しかも、一対の保持片の間に駆動部材を挿入すると、駆動部材は保持片によってガイドされ、駆動部材の係止部と接極子の被係止部とが凹凸係止するので、駆動部材の挿入位置を容易に見つけることができ、組立作業の作業性が向上する。
【００１３】
請求項２の発明では、請求項１の発明において、上記一対の保持片の先端部の間隔を、付け根付近の間隔に比べて広げたことを特徴とし、一対の保持片の間隔は先端部が付け根付近に比べて広がっているので、可動接点板と接極子との間に駆動部材を挿入する際に、可動接点板側の駆動部材の端部が保持片の間に誘い込まれるため、駆動部材の組立作業を容易に行うことができる。
【００１４】
請求項３の発明では、請求項１の発明において、上記凹所の底面側と対向する接極子の部位を覆う覆い部を駆動部材に設けたことを特徴とし、駆動部材を接極子上に載置すると、駆動部材の覆い部は凹所の底面側の接極子の部位を覆っており、凹所内に最初に挿入される接極子の部位と係止しているので、駆動部材を接極子上に載置した状態で駆動部材と電磁石ブロックとを一度にベースに組み込むことができ、組立の手間を減らすことができる。
【００１５】
請求項４の発明では、請求項１の発明において、上記凹所の底面側及び開口側と対向する接極子の部位を夫々覆う覆い部を駆動部材に設けたことを特徴とし、駆動部材の覆い部は、凹所の底面側及び開口側の接極子の部位をそれぞれ覆っているので、駆動部材を接極子上に載置した状態が安定し、駆動部材と電磁石ブロックの組込作業を容易に行える。
【００１６】
請求項５の発明では、請求項１の発明において、可動接点板と対向する接極子の部位を覆う絶縁壁を駆動部材に設けたことを特徴とし、絶縁壁によって可動接点板と対向する接極子の部位が覆われているので、接極子と可動接点板との間の絶縁性能を向上させることができる。
【００１７】
請求項６の発明では、請求項１の発明において、一面開口した略箱状であって、内部にベースを収納するケースを備え、ケースの内側面に形成された嵌合溝と凹凸嵌合する嵌合突起をベースに設けたことを特徴とし、嵌合溝と嵌合突起とを嵌合させることにより、ベースとケースとを別部材を必要とすることなく、容易に結合することができる。
【００１８】
請求項７の発明では、請求項１の発明において、上記各接点板が圧入固定される圧入溝をベースに設けたことを特徴とし、各接点板を圧入溝に圧入することにより、各接点板を容易にベースに固定することができる。
【００１９】
【発明の実施の形態】
（実施形態１）
本実施形態の電磁継電器を図１乃至図６を参照して説明する。この電磁継電器の器体１は、上面が開口した略箱状のケース２と、ケース２の開口２ａを塞ぐようにして、ケース２に取り付けられるベース３とで構成され、ケース２及びベース３はそれぞれ絶縁性を有する合成樹脂から形成されている。
【００２０】
ベース３は、図４に示すように、ケース２の開口を塞ぐ略矩形状の蓋板４の３辺から背板５、側壁６，７が夫々垂下され、略箱状に形成されており、蓋板４、背板５及び側壁６，７によって囲まれ、前面及び下面に開口した凹所３ａが形成されている。ベース３の背板５からは略コ字状の絶縁壁８が前面側に向かって立設されており、ベース３の中央を上下に分割している。また、両側壁６，７における絶縁壁８と蓋板４との間の部位からは、ベース３の中程まで伸びる隔壁９，１０がそれぞれ突設されている。尚、図１中左側の側壁６に突設された隔壁９は、同図中右側の側壁７に突設された隔壁１０よりも同図中上側に設けられている。
【００２１】
ベース３の凹所３ａには、導電材料から形成され固定接点１１が設けられた固定側端子板（固定接点板）１２と、導電材料から形成され固定接点１１と接離自在に接触する可動接点１３が設けられた可動側端子板１４とが圧入固定されており、通電に応じて両接点１１，１３を開閉させる電磁石ブロック１６が収納されている。
【００２２】
固定側端子板１２は、略短冊状の中央片１２ａと、中央片１２ａの一端縁から中央片１２ａと略直交する方向に突出するタブ端子１２ｂと、中央片１２ａの他端縁からタブ端子１２ｂと反対方向に突出する基板用端子１２ｃとが連続一体に形成され、略Ｚ字状に形成されており、中央片１２ａにおける基板用端子１２ｃが突出する側の面に固定接点１１が固着されている。
【００２３】
一方、可動側端子板１４は、図３（ａ）（ｂ）及び図４に示すように、略短冊状の中央片１４ａと、中央片１４ａの一端縁から中央片１４ａと略直交する方向に突出するタブ端子１４ｂと、中央片１４ａの他端縁からタブ端子１４ｂと反対方向に突出する基板用端子１４ｃとが連続一体に形成され、略Ｚ字状に形成されており、中央片１４ａの下面には凸部１４ｄが一対突設されている。可動接点１３は、導電性を有する略短冊状の板片を折曲して略Ｚ字状に形成された可撓性を有する可動ばね片１５の一端部に固着されている。可動ばね片１５の他端部には一対のかしめ孔１５ｂが穿設されており、可動接点１３を上側に向けた状態で、可動側端子板１４の中央片１４ａに突設された凸部１４ｄをかしめ孔１５ｂに挿入し、凸部１４ｄの頭をつぶすことによって可動ばね片１５は可動側端子板１４にかしめ固定される。ここに、可動側端子板１４及び可動ばね片１５から可動接点板が構成される。
【００２４】
ここに、ベース３の蓋板４には前面側に開放された一対の圧入溝４ａ，４ｂが形成され、側壁６，７にはそれぞれ前面側に開放された圧入溝６ａ，７ａが形成されており、固定側端子板１２は、タブ端子１２ｂの基部を圧入溝４ａに、中央片１２ａにおける基板用端子１２ｃの連結部付近を圧入溝７ａにそれぞれ圧入して、ベース３に圧入固定される。また、可動側端子板１４は、タブ端子１４ｂの基部を圧入溝４ｂに、中央片１４ａにおける基板用端子１２ｃの連結部付近を圧入溝６ａにそれぞれ圧入して、ベース３に圧入固定される。このように、両端子板１２，１４は圧入によりベース３に固定されるので、別部材を必要とすることなく、両端子板１２，１４を容易に取り付けることができる。
【００２５】
電磁石ブロック１６は、図５に示すように、略円筒状であって両端に鍔部１７ａ，１７ａが設けられたコイルボビン１７と、導電材料から形成されコイルボビン１７の両鍔部１７ａにそれぞれ圧入固定されたコイル端子２７，２７と、コイルボビン１７における両鍔部１７ａ，１７ａの間の部位に巻回され、両端がコイル端子２７に突設された巻き付け片２７ａにそれぞれ巻き付けられたコイル１８と、略円柱状であって一端部に大径の磁極部１９ａが設けられコイルボビン１７の筒内に挿着された鉄心（芯部）１９と、磁性材料から略Ｌ字状に形成されコイル１８の一端面及び側面を覆い、一側片２０ａに設けた孔２０ｃに鉄心１９の他端部が固着された継鉄２０と、継鉄２０の他側片２０ｂに突設されたかしめ突起２０ｄが孔２１ａ内に挿入され、かしめ突起２０ｄの頭をつぶすことにより他側片２０ｂにかしめ固定されるヒンジばね２１と、磁性材料から略Ｌ字状に形成され両側片２２ａ，２２ｂの折曲部の内側がヒンジばね２１により継鉄２０の他側片２０ｂの先端部を支点として回動自在に支持され、一側片２２ａがコイル１８への通電に応じて鉄心１９の磁極部１９ａに吸引又は釈放される接極子２２とで構成される。
【００２６】
上述のように接極子２２はコイル１８への通電に応じて揺動するのであるが、ベース３には接極子２２の動きを可動ばね片１５に伝達するためのカード（駆動部材）２３が取り付けられている。カード２３は絶縁性を有する合成樹脂から形成され、略平板状であって、接極子２２の側片２２ｂと可動ばね片１５との間に側片２２ｂに対して略平行に取り付けられている。そして、カード２３における側片２２ｂと対向する面には、側片２２ｂに穿設された一対の係合孔２２ｃとそれぞれ係合する係合突起２４，２４が突設され、カード２３における可動ばね片１５と対向する面には、先端面が可動ばね片１５と当接する突台部２５が設けられている。一方、可動ばね片１５におけるカード２３の突台部２５と当接する当接部１５ｃを挟んで両側の部位には、可動ばね片１５の一部を切り起こすことにより、突台部２５を間に保持する一対のガイド片（保持片）１５ａが形成されており、一対のガイド片１５ａの間に突台部２５が保持される。尚、図１及び図２に示す電磁石ブロック１６では、カード２３と対向する接極子２２の側片２２ｂに、カード２３に突設された係合突起２４と係合する孔２２ｃを穿設しているが、図５に示すように、カード２３の係合突起２４と係合する係合溝２２ｄを接極子２２の側片２２ｂに設けても良い。
【００２７】
この電磁継電器を組み立てる手順について図２を参照して簡単に説明する。先ず、固定側端子板１２及び可動側端子板１４がそれぞれ圧入固定されたベース３の前面側から凹所３ａ内に電磁石ブロック１６を挿入して、電磁石ブロック１６をベース３に取り付ける。この時、ベース３の絶縁壁８の両側片８ａ，８ａが、コイルボビン１７の両鍔部１７ａ，１７ａに形成された溝１７ｂ，１７ｂと係合し、継鉄２０の側片２０ｂとコイル１８との間に絶縁壁８が介在するので、鉄心１９、継鉄２０及び接極子２２とコイル１８とが絶縁される。
【００２８】
次に、可動ばね片１５の先端を固定接点１１側に撓ませた状態で、カード２３をベース３の前面側から接極子２２の側片２２ｂと可動ばね片１５との間に挿入し、カード２３の係合突起２４，２４を側片２２ｂの係合孔２２ｃ，２２ｃと係合させ、側片２２ｂと可動ばね片１５との間にカード２３を保持させる。ここで、可動ばね片１５に設けられたガイド片１５ａ，１５ａの間にカード２３の突台部２５を挿入すると、カード２３はガイド片１５ａ，１５ａによってガイドされ、カード２３の係合突起２４，２４と側片２２ｂの係合孔２２ｃ，２２ｃとが係合するので、カード２３を挿入する位置を容易に確認することができ、組立作業の作業性が向上する。また、ガイド片１５ａ，１５ａの先端部の間隔は、付け根付近の間隔に比べて広くなっており、断面ハ字状に配置されているので、カード２３の挿入時にカード２３の突台部２５がガイド片１５ａの間に誘い込まれるためカード２３の組立作業を容易に行える。
【００２９】
しかも、可動ばね片１５のガイド片１５ａ，１５ａでカード２３の突台部２５を保持しているので、従来の電磁継電器のように突台部２５に係合突起を設ける必要が無く、突台部２５の先端面と可動ばね片１５とが当接しているから、カード２３の挿入時に、カード２３の接極子２２側の面に突設された係合突起２４の高さ分だけ可動ばね片１５を撓ませれば良く、従来の電磁継電器に比べて可動ばね片１５を撓ませる量が少なくなる。したがって、可動ばね片１５を撓ませる力が少なくて済み、カード２３の組立作業を容易に行える。
【００３０】
最後に、ベース３をケース２の開口２ａからケース２内部に挿入すると、ベース３の側壁６，７に突設された嵌合突起６ｂ，７ｂが、ケース２の内側面に形成された嵌合溝２ｂ，２ｂと凹凸嵌合して、ケース２とベース３とが結合される。このように、嵌合突起６ｂ，７ｂと嵌合溝２ｂ，２ｂとを凹凸嵌合させることにより、別部材を必要とすることなく、ケース２とベース３とを容易に結合することができる。この時、基板用端子１２ｃ，１４ｃ及びコイル端子２７，２７はケース２の底面に穿設された挿通孔（図示せず）からケース２の外部に突出する。
【００３１】
この電磁継電器では、基板用端子１２ｃ，１４ｃがコイル端子２７，２７と共にプリント基板に半田付けされるとともに、タブ端子１２ｂ，１４ｂにリード線が結線されたレセプタクル端子が接続される。そして、コイル端子２７，２７間に電圧が印加され、コイル１８に電流が流れると、接極子２２の側片２２ａが鉄心１９の磁極部１９ａに吸引され、接極子２２が継鉄２０の側片２０ｂの先端部を支点として図１中反時計回りに回動する。この時、接極子２２の回動に応じてカード２３は図中上方に移動し、可動ばね片１５を固定接点１１側に撓ませて、可動接点１３と固定接点１１とを接触させる。その後、コイル１８への通電を停止すると、接極子２２の側片２２ａを吸引する力がなくなり、可動ばね片１５及びヒンジばね２１のばね復帰力によって、接極子２２が図１中時計回りに回動し、可動接点１３と固定接点１１とが解離する。
【００３２】
（実施形態２）
本実施形態の電磁継電器を図７乃至図９を参照して説明する。本実施形態では、実施形態１の電磁継電器において、カード２３におけるベース３の背板５と対向する側縁、及び、その反対側の側縁から、接極子２２の側片２２ｂにおける凹所３ａの底面側及び開口側をそれぞれ覆う覆い部２８を垂下すると共に、カード２３におけるベース３の側壁７側の側縁から側片２２ｂの先端面を覆う覆い部（絶縁壁）２９を垂下しており、さらに覆い部２９の下縁からは側壁７側に突出する舌片２９ａを突設している。尚、カード２３以外の構成は実施形態１の電磁継電器と同様であるので、実施形態１の電磁継電器と同一の構成要素には同一の符号を付して、その説明を省略する。
【００３３】
この電磁継電器を組み立てる手順について簡単に説明する。先ず、実施形態１と同様にして、ベース３の凹所３ａ内に固定側端子板１２及び可動側端子板１４を圧入固定する。次に図８（ａ）に示すように、接極子２２の側片２２ｂ上にカード２３を載置すると、カード２３の覆い部２８，２９が側片２２ｂの両側面及び先端面を覆うと共に、カード２３の係合突起２４と側片２２ｂの係合溝２２ｄとが係合して、カード２３の覆い部２８，２９で囲まれる空間内に接極子２２の側片２２ｂが保持され、電磁石ブロック１６上にカード２３が取り付けられる。
【００３４】
その後、図８（ｂ）に示すように、両端子板１２，１４が圧入固定されたベース３の前面側から、接極子２２上にカード２３を載置した電磁石ブロック１６を挿入すると、カード２３の突台部２５が可動ばね片１５のガイド片１５ａ，１５ａの間に挿入される。尚、突台部２５における凹所３ａの底面側（背板５側）の部位にはテーパ面２５ａが形成されているので、このテーパ面２５ａを利用してカード２３を容易に挿入することができる。
【００３５】
本実施形態では、接極子２２の側片２２ｂにおける凹所３ａの底面側及び開口側の部位をそれぞれ覆う覆い部２８，２８をカード２３に設けており、覆い部２８は凹所３ａ内に最初に挿入される側片２２ｂの部位と係止しているので、カード２３を接極子２２上に載置した状態で、カード２３と電磁石ブロック１６とを一度にベース３に組み込むことができる。このように、本実施形態では電磁石ブロック１６とカード２３とを一度にベース３に組み込んでいるので、電磁石ブロック１６とカード２３とを別々にベース３に組み込む場合に比べて組立作業を簡素化でき、作業性を向上させることができる。尚、本実施形態ではカード２３の両側縁から覆い部２８，２８を垂下しており、覆い部２８，２８が側片２２ｂの両側面を覆っているので、カード２３を組み込む際に接極子２２上でのカード２３の位置が安定するが、接極子２２の側片２２ｂにおける凹所３ａの底面側の部位を覆う覆い部２８のみをカード２３に設けるようにしても良い。
【００３６】
また、カード２３における側壁７と対向する側縁からは側片２２ｂの先端面を覆う覆い部２９が垂下され、覆い部２９の下縁からは側壁７側に突出する舌片２９ａが突設されているので、覆い部２９及び舌片２９ａにより、可動ばね片１１と対向する側片２２ｂの部位を覆っているので、可動ばね片１５（すなわち可動接点１１）と接極子２２（すなわちコイル１８）との間の絶縁距離を確保し、絶縁性を向上させることができる。
【００３７】
【発明の効果】
上述のように、請求項１の発明は、コイル、コイルの中心に挿入された磁性材料からなる芯部、一端が芯部の一側に結合された磁性材料からなる継鉄、及び、磁性材料から形成され継鉄の他端に揺動自在に取り付けられコイルへの通電に応じて芯部の他側に吸着される接極子を有する電磁石ブロックと、固定接点が設けられた固定接点板と、固定接点に接離自在に接触する可動接点が設けられた可撓性を有する可動接点板と、一側に開放された凹所を有し該凹所内に両接点板及び電磁石ブロックが並設されたベースと、凹所の開口側から可動接点板と接極子との間に挿入されて可動接点板と接極子との間に取り付けられ、接極子の動きを可動接点板に伝達する駆動部材とを備え、接極子と対向する駆動部材の部位に、接極子に設けられた被係止部と凹凸係止する係止部を設け、駆動部材と対向する可動接点板の部位に、凹所の開口側から挿入される駆動部材の両側に位置して、駆動部材の端部を間に保持する一対の保持片を可動接点板の一部を切り起こすことにより形成したことを特徴とし、凹所内に取り付けられた可動接点板と接極子との間に駆動部材を取り付ける際に、駆動部材に設けた係止部や接極子に設けた被係止部が接極子や駆動部材に干渉しないよう、可動接点板を固定接点板側に撓ませる必要があるが、駆動部材と対向する可動接点板の部位には一対の保持片が切り起こしにより形成されており、一対の保持片の間に駆動部材の端部が保持されているので、可動接点板に設けられた被係止部と凹凸係止する係止部を駆動部材に設けた場合に比べて、可動接点板を撓ませる量が小さくなり、組立作業を容易に行えるという効果がある。しかも、一対の保持片の間に駆動部材を挿入すると、駆動部材は保持片によってガイドされ、駆動部材の係止部と接極子の被係止部とが凹凸係止するので、駆動部材の挿入位置を容易に見つけることができ、組立作業の作業性が向上するという効果がある。
【００３８】
請求項２の発明は、請求項１の発明において、上記一対の保持片の先端部の間隔を、付け根付近の間隔に比べて広げたことを特徴とし、一対の保持片の間隔は先端部が付け根付近に比べて広がっているので、可動接点板と接極子との間に駆動部材を挿入する際に、可動接点板側の駆動部材の端部が保持片の間に誘い込まれるため、駆動部材の組立作業を容易に行えるという効果がある。
【００３９】
請求項３の発明は、請求項１の発明において、上記凹所の底面側と対向する接極子の部位を覆う覆い部を駆動部材に設けたことを特徴とし、駆動部材を接極子上に載置すると、駆動部材の覆い部は凹所の底面側の接極子の部位を覆っており、凹所内に最初に挿入される接極子の部位と係止しているので、駆動部材を接極子上に載置した状態で駆動部材と電磁石ブロックとを一度にベースに組み込むことができ、組立の手間を減らすことができるという効果がある。
【００４０】
請求項４の発明は、請求項１の発明において、上記凹所の底面側及び開口側と対向する接極子の部位を夫々覆う覆い部を駆動部材に設けたことを特徴とし、駆動部材の覆い部は、凹所の底面側及び開口側の接極子の部位をそれぞれ覆っているので、駆動部材を接極子上に載置した状態が安定し、駆動部材と電磁石ブロックの組込作業を容易に行えるという効果がある。
【００４１】
請求項５の発明は、請求項１の発明において、可動接点板と対向する接極子の部位を覆う絶縁壁を駆動部材に設けたことを特徴とし、絶縁壁によって可動接点板と対向する接極子の部位が覆われているので、接極子と可動接点板との間の絶縁性能が向上するという効果がある。
【００４２】
請求項６の発明は、請求項１の発明において、一面開口した略箱状であって、内部にベースを収納するケースを備え、ケースの内側面に形成された嵌合溝と凹凸嵌合する嵌合突起をベースに設けたことを特徴とし、嵌合溝と嵌合突起とを嵌合させることにより、ベースとケースとを別部材を必要とすることなく、容易に結合することができるという効果がある。
【００４３】
請求項７の発明は、請求項１の発明において、上記各接点板が圧入固定される圧入溝をベースに設けたことを特徴とし、各接点板を圧入溝に圧入することにより、各接点板を容易にベースに固定することができるという効果がある。
【図面の簡単な説明】
【図１】実施形態１の電磁継電器の断面図である。
【図２】同上の一部省略せる分解斜視図である。
【図３】同上の可動側端子板を示し、（ａ）は正面図、（ｂ）は上面図である。
【図４】同上の一部省略せる分解斜視図である。
【図５】同上の電磁石ブロックを示す分解斜視図である。
【図６】同上のケースを示す斜視図である。
【図７】実施形態２の電磁継電器の断面図である。
【図８】（ａ）（ｂ）は同上の組立手順を説明する分解斜視図である。
【図９】同上のカードを示す斜視図である。
【図１０】従来の電磁継電器を示し、（ａ）はカードが組み込まれた状態の断面図、（ｂ）はカードを組み込む途中の状態を示す断面図である。
【図１１】同上の一部省略せる分解斜視図である。
【符号の説明】
３  ベース
３ａ  凹所
１１  固定接点
１２  固定接点板
１３  可動接点
１４  可動接点板
１５  可動ばね片
１５ａ  ガイド片
１６  電磁石ブロック
２２  接極子
２２ｃ  係合孔
２３  カード
２４  係合突起
２５  突台部
【図１】
0003959894.tif 000002
【図２】
0003959894.tif 000003
【図３】
0003959894.tif 000004
【図４】
0003959894.tif 000005
【図５】
0003959894.tif 000006
【図６】
0003959894.tif 000007
【図７】
0003959894.tif 000008
【図８】
0003959894.tif 000009
【図９】
0003959894.tif 000010
【図１０】
0003959894.tif 000011
【図１１】
0003959894.tif 000012